(57)【特許請求の範囲】
【請求項１】
連結対象部材に設けられた軸体と連結体が連結される連結部材であって、
前記連結体の端部に形成され、前記軸体に引掛けられるフック部と、
前記連結体に回動自在に設けられ、前記軸体と共に前記フック部を覆うカバーと、
を有する連結部材。
【請求項２】
前記カバーには、前記フック部を覆ったとき、前記軸体と嵌合する嵌合凹部が形成されている請求項１に記載の連結部材。
【請求項３】
前記嵌合凹部の内壁と前記フック部の内壁は、前記カバーが前記フック部を覆ったとき、前記軸体を取り囲む孔を形成する請求項２に記載の連結部材。
【請求項４】
前記カバーの自由端部には、前記フック部の先端部に形成された被係合部と係合する係合部が設けられている請求項１〜３のいずれか１項に記載の連結部材。
【請求項５】
連結対象部材は、引出しの前面に傾倒可能に取付けられた鏡板であり、
請求項１〜４のいずれか１項に記載の連結部材が前記鏡板と前記引出しを連結する引出装置。
【発明の詳細な説明】
【技術分野】
【０００１】
本発明は、連結部材、及びこの連結部材を用いた引出装置に関する。
【背景技術】
【０００２】
特許文献１には、傾倒する前板の裏面に、折曲自在アームの端部を固定した構造について開示されている。
また、特許文献２には、机の天板の裏面に設けられた突子と嵌合する係合部を有するレバー部材が開示されている。このレバー部材の係合部は、突子が挿通される開口部の幅が広がるようになっている。
【先行技術文献】
【特許文献】
【０００３】
【特許文献１】特開２００９−５５９５４号公報
【特許文献２】特開２００２−２８２０５５号公報
【発明の概要】
【発明が解決しようとする課題】
【０００４】
特許文献１では、前板の裏面に折曲自在アームの端部を固定するため、連結操作が煩雑なものとなる。
一方、特許文献２では、天板の突子とレバー部材の係合部とを離間させる力が加えられた場合、係合部の開口部の幅が広がり、係合部から突子が外れる虞がある。
【０００５】
本発明は、連結対象部材に設けられた軸体と簡単な操作で連結され且つ軸体との連結外れが抑制される連結部材、及び、この連結部材を用いた引出装置の提供を目的とする。
【課題を解決するための手段】
【０００６】
請求項１の連結部材は、連結対象部材に設けられた軸体と連結体が連結される連結部材であって、前記連結体の端部に形成され、前記軸体に引掛けられるフック部と、前記連結体に回動自在に設けられ、前記軸体と共に前記フック部を覆うカバーと、を有している。
【０００７】
請求項１の連結部材では、軸体にフック部を引掛け、カバーを回動させて軸体と共にフック部を覆うことで、軸体と連結体が連結される。すなわち、軸体と連結部材が簡単な操作で連結される。
一方、軸体とフック部の上からカバーを退避させて、軸体からフック部を外すことで、軸体と連結体の連結が解除される。すなわち、連結された軸体と連結部材が簡単な操作で連結解除される。
ここで、連結部材は、軸体と共にフック部をカバーで覆って軸体と連結されることから、フック部をカバーで覆わずに軸体と連結されるものと比べて、軸体との連結外れが抑制される。
なお、ここでいう連結外れとは、連結解除操作を行なわずに、外力などによって軸体と連結部材の連結が外れることを指している。
【０００８】
請求項２の連結部材は、請求項１の連結部材において、前記カバーには、前記フック部を覆ったとき、前記軸体と嵌合する嵌合凹部が形成されている。
【０００９】
請求項２の連結部材では、軸体と共にフック部をカバーで覆ったとき、カバーの嵌合凹部が軸体と嵌合する。これにより、例えば、カバーに嵌合凹部が形成されていない構成と比べて、連結された軸体と連結部材の連結外れが抑制される。
【００１０】
請求項３の連結部材は、請求項２の連結部材において、前記嵌合凹部の内壁と前記フック部の内壁は、前記カバーが前記フック部を覆ったとき、前記軸体を取り囲む孔を形成する。
【００１１】
請求項３の連結部材では、カバーがフック部を覆ったとき、嵌合凹部の内壁とフック部の内壁によって軸体を取り囲む孔が形成される。このため、カバーが軸体と共にフック部を覆ったときには、軸体が嵌合凹部の内壁とフック部の内壁によって取り囲まれ、軸体の前記孔からの抜け出しが規制される。これにより、連結された軸体と連結部材の連結外れが効果的に抑制される。
【００１２】
請求項４の連結部材は、請求項１〜３のいずれか１項の連結部材において、前記カバーの自由端部には、前記フック部の先端部に形成された被係合部と係合する係合部が設けられている。
【００１３】
請求項４の連結部材では、軸体と共にフック部をカバーで覆い、自由端部の係合部を、フック部の被係合部に係合させることで、フック部とカバーとの外れが抑制される。これにより、連結された軸体と連結部材の連結外れがより効果的に抑制される。
【００１４】
請求項５の引出装置は、連結対象部材は、引出しの前面に傾倒可能に取付けられた鏡板であり、請求項１〜４のいずれか１項に記載の連結部材が前記鏡板と前記引出しを連結する。
【００１５】
請求項５の引出装置では、鏡板に設けられた軸体に請求項１〜４のいずれか１項に記載の連結部材のフック部を引掛け、カバーを回動させて軸体と共にフック部を覆うことで、軸体と連結部材が簡単な操作で連結される。このようにして、鏡板と引出しが連結部材により連結される。また、鏡板と引出しの連結外れも抑制される
【発明の効果】
【００１６】
以上説明したように、本発明の連結部材は、連結対象部材に設けられた軸体と簡単な操作で連結することができ且つ軸体との連結外れを抑制することができる。
一方、本発明の引出装置は、連結部材を用いて鏡板と引出しを簡単な操作で連結することができる。
【図面の簡単な説明】
【００１７】
【図１】本発明の実施形態の引出装置を上方から見た斜視図である。
【図２】本発明の実施形態の連結部材及び軸体を上方から見た斜視図である。
【図３】連結途中の軸体及び連結部材を上方から見た斜視図である。
【図４】連結された軸体及び連結部材を上方から見た斜視図である。
【図５】（Ａ）は図３のＡ−Ａ線断面図である。  （Ｂ）は図４のＢ−Ｂ線断面図である。
【図６】本発明のその他の実施形態の連結部材を上方から見た斜視図である。
【発明を実施するための形態】
【００１８】
以下、本発明の連結部材及び引出装置の一実施形態について図１〜図５を用いて説明する。
【００１９】
図１には、システムキッチン（筐体の一例）に用いられる引出装置１０の斜視図が示されている。なお、引出装置１０を用いる筐体としては、システムキッチンに限らず、例えば、机やタンスなどの筐体でもよい。また、図１中に示す矢印Ｈは上下方向、矢印ＦＲは前後方向、矢印Ｗは左右方向を示している。
【００２０】
引出装置１０は、箱型の引出し１２と、引出し１２の前面を構成する傾倒可能な鏡板１４（連結対象部材の一例）と、鏡板１４の裏面に配置された軸体１６と、引出し１２の側板１３の内面から左右方向に突出する略円柱状の支持ピン１８と、一端部が軸体１６に連結されると共に他端部が支持ピン１８に連結されるステー２２を有する連結部材２０と、を有している。
【００２１】
鏡板１４は、下端部が引出し１２に軸支され、上端部が自由端とされて矢印Ｒ方向へ傾倒できるようになっている。
また、軸体１６は、図２及び図５に示すように、略円柱状とされ、鏡板１４の裏面に取付けられた軸固定金具１７により両端が支持されている。なお、鏡板１４と軸固定金具１７との取付けは、例えば、ねじなどが用いられる。
【００２２】
図２に示すように、連結部材２０は、前述した板状のステー２２（連結体の一例）と、ステー２２の長手方向一端部に形成され軸体１６に引掛けられるＪ字形状のフック部２４と、ステー２２の長手方向他端部に形成され支持ピン１８に引掛けられるＣ字形状のフック部２６と、ステー２２の長手方向一端部側に回動自在に設けられ軸体１６と共にフック部２４を覆うカバー２８と、を有している。なお、本実施形態の連結部材２０は、樹脂材料を用いて構成されている。
【００２３】
カバー２８には、自由端である先端部から基端部へ向かってステー２２の一部（図２では薄肉部２２Ａ）が入り込む溝が形成されている。この溝の基端部側の溝壁には、円柱状の凹部（図示省略）が形成されている。この凹部には、ステー２２の薄肉部２２Ａから左右方向へ突出する円柱状のピン３１が嵌合している。この構成により、カバー２８がステー２２に対して回動自在とされている。
【００２４】
図５（Ａ）、（Ｂ）に示すように、カバー２８には、軸体１６と共にフック部２４を覆ったとき、軸体１６と嵌合する嵌合凹部３２が形成されている。この嵌合凹部３２の内壁は、円弧状とされている。また、図５（Ｂ）に示すように、軸体１６は、嵌合凹部３２の内壁端部３２Ａを乗り越えて嵌合凹部３２に嵌合される。
【００２５】
図５（Ａ）、（Ｂ）に示すように、フック部２６は、内壁が円弧状とされている。フック部２６の内壁と嵌合凹部３２の内壁は、カバー２８がフック部２６を覆ったとき、軸体１６を取り囲む孔を形成するようになっている。この孔の直径は、軸体１６の直径と略同等となるように設定することが好ましい。
【００２６】
図２及び図５（Ａ）、（Ｂ）に示すように、カバー２８の先端部には、フック部２６の先端部に形成された幅狭部３４（被係合部の一例）と係合する挿入凹部３６（係合部の一例）が形成されている。
具体的に説明すると、幅狭部３４はフック部２６の他の部分よりも幅（左右方向の幅）が狭い幅狭部分であり、挿入凹部３６はカバー２８の先端部に形成された幅狭部３４が挿入される凹部である。
【００２７】
次に、軸体１６とステー２２との連結操作について説明する。
図３及び図５（Ａ）に示すように、まず、軸体１６にフック部２４を引掛ける。次に、図４に示すように、カバー２８を回動させて軸体１６と共にフック部２４を覆う。このとき、図５（Ｂ）に示すように、嵌合凹部３２に軸体１６が嵌合されて、フック部２６の内壁と嵌合凹部３２の内壁により軸体１６が取り囲まれる。また、カバー２８の先端部の挿入凹部３６にフック部２６の先端部に形成された幅狭部３４が挿入される。このようにして軸体１６と連結部材２０（ステー２２）が連結される。
【００２８】
また、連結された軸体１６と連結部材２０の連結を解除する場合、まず、カバー２８を回動させて、フック部２４及び軸体１６の上から退避させる。その後、フック部２４から軸体１６を外すことにより、軸体１６と連結部材２０の連結が解除される。
【００２９】
以上のようにして、軸体１６と連結部材２０を連結すると共にステー２２のフック部２６を支持ピン１８に引掛けることで、連結部材２０を介して鏡板１４と引出し１２が連結される。なお、本実施形態では、引出し１２の支持ピン１８と連結部材２０を連結するために、ステー２２の長手方向他端部をフック部２６とする構成としたが、この構成に限定されず、引出し１２と連結部材２０を連結することができれば、ステー２２の長手方向他端部の構成はどのようなものでもよく、例えば、貫通孔を設けて支持ピン１８に嵌合させる構成としても構わない。
【００３０】
次に、本実施形態の連結部材２０、及び引出装置１０の作用効果について説明する。
前述したように、軸体１６と連結部材２０の連結は、軸体１６にフック部２６を引掛け、カバー２８を回動させて軸体１６と共にフック部２４を覆うことでなされる。すなわち、軸体１６と連結部材２０が簡単な操作で連結される。
一方で軸体１６とフック部２６の上からカバー２８を退避させて、軸体１６からフック部２６を外すことで、軸体１６と連結部材２０の連結が解除される。すなわち、連結された軸体１６と連結部材２０が簡単な操作で連結解除される。
従って、連結部材２０は、軸体１６と簡単な操作で連結でき且つ、連結解除をすることができる。
【００３１】
ここで、連結部材２０は、軸体１６と共にフック部２４をカバー２８で覆って軸体１６と連結されることから、フック部２４をカバー２８で覆わずに軸体１６と連結されるものと比べて、軸体１６との連結外れが抑制される。
なお、ここでいう連結外れとは、前述の連結解除操作を行なわずに、外力などによって軸体１６と連結部材２０の連結が外れることを指している。
【００３２】
一方、連結部材２０は、ステー２２に形成されたフック部２４と、軸体１６と共にフック部２４を覆うカバー２８という簡単な構成で、軸体１６との連結を行なうことができる。
そして、連結部材２０は、ステー２２とカバー２８という少ない部品点数で、軸体１６との連結を達成している。
【００３３】
また、軸体１６と共にフック部２６をカバー２８で覆ったとき、カバー２８の嵌合凹部３２が軸体１６と嵌合する。これにより、例えば、カバー２８に嵌合凹部３２が形成されていない構成と比べて、連結された軸体１６と連結部材２０の連結外れが抑制される。
【００３４】
カバー２８がフック部２６を覆ったとき、嵌合凹部３２の内壁とフック部２６の内壁によって軸体１６を取り囲む孔が形成される。このため、カバー２８が軸体１６と共にフック部２６を覆ったときには、軸体１６が嵌合凹部３２の内壁とフック部２６の内壁によって取り囲まれ、軸体１６の前記孔からの抜け出しが規制される。これにより、連結された軸体１６と連結部材２０の連結外れが効果的に抑制される。
【００３５】
また、軸体１６と共にフック部２６をカバー２８で覆うことにより、カバー２８の先端部の挿入凹部３６に、フック部２６の幅狭部３４が挿入される。これにより、フック部２６とカバー２８との軸体１６の軸心方向の相対変位による外れが抑制される。これにより、連結された軸体１６と連結部材２０の連結外れがより効果的に抑制される。
【００３６】
以上説明したように、簡単な操作で軸体１６と連結できる連結部材２０を用いて引出装置１０の鏡板１４と引出し１２が連結されていることから、引出装置１０の組み立て作業が容易なものとなる。また、鏡板１４と引出し１２の連結解除も簡単に行なうことができる。
【００３７】
本実施形態の連結部材２０は、図２に示すように、ステー２２の長手方向一端部をフック部２４、ステー２２の長手方向他端部をフック部２６とする構成としたが、本発明はこの構成に限定されず、例えば、図６に示す連結部材４０のように、ステー２２の長手方向他端部にもフック部２４を形成してもよい。この場合には、長手方向他端部に形成したフック部２４を覆うカバー２８をステー２２の長手方向他端部側に設けてもよい。
【００３８】
前述の実施形態では、支持ピン１８は引出し１２の側板１３の内面から左右方向に突出する構成としているが、この構成に限定されず、例えば、支持ピン１８が前後方向にスライド可能なスライド部材を介して側板１３に取付けられる構成としてもよい。
【００３９】
さらに、前述の実施形態では、図５（Ａ）、（Ｂ）に示すように、フック部２６の先端部に幅狭部３４を、カバー２８の先端部に挿入凹部３６を形成する構成としているが、本発明はこの構成に限定されず、例えば、フック部２６の先端部に１又は複数固の凸部を儲け、カバー２８の先端部に前記１又は複数の突起に対応する凹部を形成する構成としてもよい。なお、凸部の形状は、円柱、円錐、四角柱、四角錐など、凸部と凹部が嵌合することができれば、いずれの形状であっても構わない。
【００４０】
また、前述の実施形態では、連結部材２０を引出装置１０に用いる構成としたが、本発明はこの構成に限定されず、連結部材２０は、例えば、引き戸や、開き戸などに用いる構成としてもよい。
【００４１】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【符号の説明】
【００４２】
１０    引出装置
１２    引出し
１４    鏡板
１６    軸体
２０    連結部材
２２    ステー（連結体）
２４    フック部
２８    カバー
３２    嵌合凹部
３４    幅狭部（被係合部）
３６    挿入凹部（係合部）
４０    連結部材
【図１】
0005432065.tif 000002
【図２】
0005432065.tif 000003
【図３】
0005432065.tif 000004
【図４】
0005432065.tif 000005
【図５】
0005432065.tif 000006
【図６】
0005432065.tif 000007